(57)【要約】【課題】      天井面に設けられた開口部に設置した埋込式照明器具を交換する際、天井開口穴よりも小さい照明器具であっても天井ボードの貼り替え工事なしで取替交換を可能にする埋込式照明器具の取付用アジャスターを提供する。【解決手段】天井開口部にその開口部のサイズより小さいサイズの埋込式照明器具を取付ける際に用いる埋込式照明器具の取付用アジャスターにおいて、アジャスター本体１１の下端開口部に鍔部１２ａ・１２ｂを設けると共に、アジャスター本体１１の外周壁に天井開口部の周縁上に係止せしめる取付具１４を設け、アジャスター本体１１の内側に埋込式照明器具を保持せしめる構成を採用したのである。【選択図】  図１
2006054100.tif 000002
【特許請求の範囲】
【請求項１】
天井開口部にその開口部のサイズより小さいサイズの埋込式照明器具を取付ける際に用いる埋込式照明器具の取付用アジャスターにおいて、前記アジャスター本体の下端開口部に鍔部を設けると共に、前記アジャスター本体の外周壁に前記天井開口部の周縁上に係止せしめる取付具を設け、前記アジャスター本体の内側に前記埋込式照明器具を保持せしめることを特徴とする埋込式照明器具の取付用アジャスター。
【請求項２】
前記アジャスター本体の下端開口部に設けた鍔部の外周縁を前記天井開口部のサイズよりも若干大きく形成し、前記アジャスター本体の下端開口部に設けた鍔部の内周開口を前記埋込式照明器具のサイズに合わせて適合サイズに調整可能としたことを特徴とする請求項１に記載の埋込式照明器具の取付用アジャスター。
【請求項３】
前記アジャスター本体の下端開口部に設けた鍔部の内周開口の周縁上に前記埋込式照明器具の取付具を係止せしめる段部を形成し、前記天井開口部に取付けた際に前記埋込式照明器具の下端面の位置が天井面に略一致することを特徴とする請求項１又は請求項２に記載の埋込式照明器具の取付用アジャスター。
【請求項４】
前記埋込式照明器具について低消費電力用ライトを採用したことを特徴とする請求項１乃至請求項３に記載の埋込式照明器具の取付用アジャスター。
【発明の詳細な説明】
【技術分野】
【０００１】
本発明は、天井面に設けられた開口部に設置する埋込式照明器具の取付用アジャスターに関する。
【背景技術】
【０００２】
従来、天井面に設けられた開口部に設置する埋込式照明器具（所謂ダウンライト）については、その開口部のサイズに適合する埋込式照明器具を取付けることが必要であった。
【０００３】
図５は、天井面に設けられた開口部に埋込式照明器具を取付けた状態（既設の状態）を示す説明図である。図５に示すように、天井面に設けられた開口部の直径に適合した埋込式照明器具３０は、複数の取付具３１によって天井材４０の開口部周縁上に係止した状態で取付けられている。
【発明の開示】
【発明が解決しようとする課題】
【０００４】
本発明は、天井面に設けられた開口部に設置した埋込式照明器具を交換する際、天井開口穴よりも小さい照明器具であっても天井ボードの貼り替え工事なしで取替交換を可能にすることを目的とする。
【課題を解決するための手段】
【０００５】
上記課題を解決するために、請求項１に記載の発明は、天井開口部にその開口部のサイズより小さいサイズの埋込式照明器具を取付ける際に用いる埋込式照明器具の取付用アジャスターにおいて、前記アジャスター本体の下端開口部に鍔部を設けると共に、前記アジャスター本体の外周壁に前記天井開口部の周縁上に係止せしめる取付具を設け、前記アジャスター本体の内側に前記埋込式照明器具を保持せしめる構成を採用したのである。
【０００６】
これにより、天井ボードの貼り替え工事なしで天井開口部にその開口部のサイズより小さいサイズの埋込式照明器具に簡単に取替えることができる。
【０００７】
また、請求項２に記載の発明は、請求項１に記載の発明において、前記アジャスター本体の下端開口部に設けた鍔部の外周縁を前記天井開口部のサイズよりも若干大きく形成し、前記アジャスター本体の下端開口部に設けた鍔部の内周開口を前記埋込式照明器具のサイズに合わせて適合サイズに調整可能としたことを特徴とする。
【０００８】
これにより、アジャスター本体の下端開口部に設けた鍔部の内周開口を任意のサイズに調整し最適な埋込式照明器具に取替えることができる。
【０００９】
また、請求項３に記載の発明は、請求項１又は請求項２に記載の発明において、前記アジャスター本体の下端開口部に設けた鍔部の内周開口の周縁上に前記埋込式照明器具の取付具を係止せしめる段部を形成し、前記天井開口部に取付けた際に前記埋込式照明器具の下端面の位置が天井面に略一致することを特徴とする。
【００１０】
これにより、天井開口部にその開口部のサイズより小さいサイズの埋込式照明器具を取付けた場合でも美観を損なわない。
【００１１】
また、請求項４に記載の発明は、請求項１乃至請求項３に記載の発明において、前記埋込式照明器具について低消費電力用ライトを採用したことを特徴とする。
【００１２】
これにより、省エネルギー化が図られ電気料金を節約することができる。
【発明の効果】
【００１３】
以上のように、本発明によれば、天井ボードの貼り替え工事なしで天井開口部にその開口部のサイズより小さいサイズの埋込式照明器具に簡単に取替えることができる。また、アジャスター本体の下端開口部に設けた鍔部の内周開口を任意のサイズに調整し最適な埋込式照明器具に取替えることができる。更には、天井開口部にその開口部のサイズより小さいサイズの埋込式照明器具を取付けた場合でも美観を損なわない。加えて、省エネルギー化が図られ電気料金を節約することができる。したがって、本発明によって、従来には存在しなかった著しい効果を奏することが期待できる。
【発明を実施するための最良の形態】
【００１４】
以下、本発明の実施の一形態について、図面を参酌しながら説明する。
【００１５】
図１は、本発明にかかる埋込式照明器具の取付用アジャスターの一例を示す斜視図である。図２は、本発明にかかる埋込式照明器具の取付用アジャスターの一例を示す平面図である。
【００１６】
図１及び図２に示すように、アジャスター１０は、円筒形状に形成されたアジャスター本体１１と、アジャスター本体１１の下端開口部に設けられた鍔部１２と、アジャスター本体１１の外周壁に複数個設けられた取付具１４から構成されている。
【００１７】
鍔部１２は、天井開口部のサイズよりも若干大きく形成された鍔部の外周部分（１２ａ）と、埋込式照明器具のサイズに合わせて開口直径を適合サイズに調整された鍔部の内周部分（１２ｂ）を備えている。また、鍔部の内周部分（１２ｂ）の開口周縁上には、埋込式照明器具の取付具（図４に示す取付具２１）を係止せしめる段部１３が形成されている。
【００１８】
次に、アジャスター本体１１、鍔部１２、段部１３の各サイズの実施範囲について説明する。
【００１９】
図３は、本発明にかかる埋込式照明器具の取付用アジャスターの断面構造を示す説明図である。
【００２０】
図３において、記号Ａはアジャスター本体１１の開口直径、記号Ｂは鍔部の外周部分（１２ａ）の外縁直径、記号Ｃはアジャスター本体１１の高さ、記号Ｄは鍔部の内周部分（１２ｂ）の開口直径である。
【００２１】
Ａについては、天井開口部のサイズにより異なるが、１００〜３５０ｍｍの範囲に設定する。Ｃについては、５０〜１２０ｍｍの範囲に設定する。Ｂについては、Ａよりも２０〜３０ｍｍ大きく設定する。Ｄについては、取替える予定の埋込式照明器具のサイズに適合する大きさに設定する。また、段部１３の高さは、天井材の厚さにより異なるが、１０〜２０ｍｍの範囲に設定する。
【００２２】
例えば、天井開口部のサイズが２７５φの場合において、通常は１５０φの天井開口部用として存在する小さいサイズの埋込式照明器具に取替えるときには、Ａについては２７０φに設定し、Ｃについては１００ｍｍに設定し、Ｂについては３００φに設定し、Ｄについては取替える埋込式照明器具のサイズに適合した大きさである１５０φに設定する。
【００２３】
図１及び図２に示すように、アジャスター本体１１の外周壁には複数個の取付孔１５が形成されており、それらの取付孔１５の下方に位置するスリット部分に取付具１４が固定される。取付具１４及び取付孔１５については、本実施例に示すものに限定されるものではなく、アジャスター１０を天井開口部の周縁上に係止せしめることができる構造を適宜採用することができる。
【００２４】
図４は、本発明にかかる埋込式照明器具の取付用アジャスターの使用状態を示す説明図である。
【００２５】
図４に示すように、天井開口部にその開口部のサイズより小さいサイズの埋込式照明器具２０を取付ける際、アジャスター１０は、複数の取付具１４によって天井材４０の開口部周縁上に係止した状態で取付けられる。また、埋込式照明器具２０は、複数の取付具２１によって鍔部の内周部分（１２ｂ）の開口周縁上に形成された段部１３に係止した状態で取付けられ、アジャスター本体１１の内側に天井開口部のサイズより小さいサイズの埋込式照明器具２０が保持される。
【図面の簡単な説明】
【００２６】
【図１】本発明にかかる埋込式照明器具の取付用アジャスターの一例を示す斜視図である。
【図２】本発明にかかる埋込式照明器具の取付用アジャスターの一例を示す平面図である。
【図３】本発明にかかる埋込式照明器具の取付用アジャスターの断面構造を示す説明図である。
【図４】本発明にかかる埋込式照明器具の取付用アジャスターの使用状態を示す説明図である。
【図５】天井面に設けられた開口部に埋込式照明器具を取付けた状態（既設の状態）を示す説明図である。
【符号の説明】
【００２７】
１０  アジャスター
１１  アジャスター本体
１２  鍔部
１３  段部
１４  取付具
１５  取付孔
２０  埋込式照明器具
２１  取付具
３０  埋込式照明器具
３１  取付具
４０  天井材
【図１】
2006054100.tif 000003
【図２】
2006054100.tif 000004
【図３】
2006054100.tif 000005
【図４】
2006054100.tif 000006
【図５】
2006054100.tif 000007